(57)【特許請求の範囲】
【請求項１】
外部からテキストデータを受信する通信手段と、
前記通信手段が受信したテキストデータに基づいてテキストを表示する表示手段と、
前記通信手段が受信したテキストデータを音声データに変換するテキストデータ／音声変換手段と、
前記テキストデータ／音声変換手段が変換した音声データに基づいて音声を出力するスピーカとを備え、
前記通信手段が受信したテキストデータが、前記表示手段にテキストとして表示されると複数行になるデータ量を有する場合、前記テキストデータ／音声変換手段は前記通信手段が受信したテキストデータを音声データに変換することを特徴とする車載電子装置。
【請求項２】
前記通信手段が受信したテキストデータが、前記表示手段にテキストとして表示されても複数行にならないデータ量を有する場合、前記テキストデータ／音声変換手段は前記通信手段が受信したテキストデータを音声データに変換しないことを特徴とする請求項１に記載の車載電子装置。
【発明の詳細な説明】
【０００１】
【発明の属する技術分野】
本発明は、ハンズフリー通話およびネットワーク通信が行える車載電子装置に関する。
【０００２】
【従来の技術】
近年、自動車電話または携帯電話の普及は目覚しく、自動車運転中に携帯電話を使用することが原因の事故が急増しているため、運転中の携帯電話機の使用が法令で禁止された。このため、携帯電話機を持たずに話せるハンズフリー機能が脚光を浴びている。ハンズフリー機能を使用すれば、運転者は携帯電話機を持たずに通話できるので、片手運転による事故を防止することができる。
【０００３】
一方、ネットワークに接続できる携帯電話の普及も目覚しく、カーオーディオ装置やカーナビゲーション装置のような車載電子装置にネットワークから受信した電子メールやコンテンツを表示することができる。ネットワークとしては、緊急通報のための専用のネットワークや、一般のパソコン通信網やインターネットなどが利用されている。
【０００４】
【発明が解決しようとする課題】
しかしながら、従来の車載電子装置では、ハンズフリー通話を行うためには、携帯電話機を専用のアダプタを使用して車載電子装置に接続しなければならず、接続コードが邪魔になるという問題があった。また、ネットワーク通信を行う場合も専用のアダプタを介して車載電子装置に接続する必要があり、接続コードが邪魔になるとともに、表示部に表示された電子メール等を運転者が運転中に見ることがあるので、前方に対する注意力が疎かになるという問題があった。
【０００５】
本発明は、このような従来の問題を解決するものであり、接続コードなしにハンズフリー通話およびネットワーク通信ができるとともに、表示部を見なくても受信した電子メール等の内容を知ることのできる車載電子装置を提供することを目的とする。
【０００６】
【課題を解決するための手段】
本発明の車載電子装置は、外部からテキストデータを受信する通信手段と、通信手段が受信したテキストデータに基づいてテキストを表示する表示手段と、通信手段が受信したテキストデータを音声データに変換するテキストデータ／音声変換手段と、テキストデータ／音声変換手段が変換した音声データに基づいて音声を出力するスピーカとを備え、通信手段が受信したテキストデータが、表示手段にテキストとして表示されると複数行になるデータ量を有する場合、テキストデータ／音声変換手段は通信手段が受信したテキストデータを音声データに変換するものである。
【０００８】
【発明の実施の形態】
以下、本発明の実施の形態について図面を参照して説明する。図１は本発明の実施の形態における車載オーディオ装置の概略ブロック図である。図１において、インターネットに接続可能な携帯電話機１は、内部に近距離無線装置であるブルートゥース２を備えている。一方の車載オーディオ装置３も同様なブルートゥース４を備えている。ブルートゥース２および３は、約１０メートルの範囲内でデータ交換ができる近距離向け無線データ通信技術であり、アプリケーション毎に種々のプロファイルが定められており、ここではコードレス電話機用のプロファイルを使用している。コードレス電話機用のプロファイルでは、インターネットのＷＷＷを閲覧しながら、ブルートゥースが備えている３つの音声チャネルの１つを使用して電話通話を行うことができる。
【０００９】
車載オーディオ装置３において、ブルートゥース４にはＣＰＵ５が接続されて、ブルートゥース４の動作を監視しており、ブルートゥース４が音声信号を受信した場合には、ハンズフリーユニット６を制御し、ハンズフリーユニット６は、ハンドルの中央部またはバックミラーの下部に設けられたマイク７とダッシュボード右側に設けられて運転者に近い右スピーカ８を使用してハンズフリー通話を行う。右スピーカ８は左スピーカ９と対になったオーディオユニット１５の２チャネル用のスピーカである。ＣＰＵ５はまた、ブルートゥース４がテキストデータを受信した場合には、テキストデータ／音声変換部１２および表示制御部１３を制御して、テキストデータを音声信号に変換して右スピーカ８から出力したり、液晶表示部１４にメール内容を表示したりする。オーディオユニット１５は、ＡＭやＦＭラジオ放送、ＣＤデッキやＭＤデッキ、カセットテーププレーヤなどを備え、ユーザの操作によりいずれかの音源が選択され、右スピーカ８および左スピーカ９からステレオ音声で出力される。ＣＰＵ５は、通常モードの場合は、連動スイッチ１０、１１をオーディオユニット１５側に接続し、通信モードの場合は、連動スイッチ１０、１１をテキストデータ／音声変換部１２および表示制御部１３側に接続する。
【００１０】
次に、本実施の形態における車載オーディオ装置の動作について図２のフロー図を参照して説明する。図２において、まず、携帯電話機１に着信があると、携帯側のブルートゥース２から車載側のブルートゥース４にデータが伝送され（ステップＳ１）、車載側のブルートゥース４では、着信があったことおよびその着信が電話であるかメールであるかをＣＰＵ５に伝え、ＣＰＵ５は、連動スイッチ１０、１１を通常モードから通信モードに切り替える（ステップＳ２）。ＣＰＵ５は、電話の場合は、ハンズフリーユニット６を制御して通話を可能とし、ユーザはマイク７から音声を入力し、右スピーカ８からは相手の音声が出力されて、ハンズフリー通話が行われる（ステップＳ８）。電子メールの場合は、ＣＰＵ５は、表示制御部１３を制御して電子メールの内容を液晶表示部１４に文字表示し（ステップＳ４）、メール内容を音声で出力する音声変換モードになっている場合は（ステップＳ５−１）、テキストデータ／音声変換部１２を制御してテキストデータから音声データに変換し、右スピーカ８から出力する（ステップＳ６）。また、音声変換モードになっていない場合でも、電子メールのデータ量が所定以上、すなわち液晶表示部１４に表示されたメール内容を一瞥して理解できないような複数行にわたる場合は（ステップＳ５−２）、同様にテキストデータ／音声変換部１２を制御してテキストデータから音声データに変換し、右スピーカ８から出力する（ステップＳ６）。そして、ユーザがハンズフリー通話を終了し、またはテキストデータの受信を終了して、ハンドル中央部またはバックミラー下部に設けられた終了スイッチを操作するか、または一定の時間が経過した場合には、処理を終了する。
【００１１】
このように、本実施の形態では、携帯電話機１に電話がかかってきたり、インターネットを通じて電子メールが送られてきた場合は、携帯側のブルートゥース２から車載側のブルートゥース４にデータが送られ、ＣＰＵ５が、電話の場合にはハンズフリーユニット６を制御してハンズフリー通話を行わせ、電子メールの場合は、表示制御部１３を制御して液晶表示部１４にメール内容を文字表示するとともに、テキストデータ／音声変換部１２を制御して音声に変換して運転者に近い右スピーカ８から出力するようにしたので、運転者は、運転に集中しながらハンズフリー通話およびメール受信を行うことができる。
【００１２】
なお、上記実施の形態は、本発明を車載オーディオに適用した例であるが、本発明は、スピーカおよび液晶表示部を有する車載ナビゲーションにも適用できるものである。また、通常モードから通信モードに切り替えたときは、通常モードの表示を全面的に通信モードの表示に切り替えるのではなく、通常モードの表示と通信モードの表示とを画面分割して両方とも表示するようにしてもよい。また、ネットワーク通信としてインターネットを例にしたが、パソコン通信や専用通信のためのネットワークを利用した通信であってもよい。
【００１３】
【発明の効果】
以上説明したように、本発明は、携帯電話機に搭載された携帯側の近距離無線装置と、この携帯側の近距離無線装置との間でデータ通信を行う車載側の近距離無線装置と、車載側の近距離無線装置との間で音声信号を授受してマイクとスピーカによりハンズフリー通話を行うハンズフリー通話手段と、車載側の近距離無線装置からテキストデータを受け取って表示部に表示する表示制御手段と、車載側の近距離無線装置からテキストデータを受け取って音声データに変換して前記スピーカから出力するテキストデータ／音声変換手段とを備えたものであり、接続コードなしにハンズフリー通話およびネットワーク通信ができるとともに、表示部を見なくても受信した電子メール等の内容を知ることができるので、安全運転に寄与できるという効果を有する。
【図面の簡単な説明】
【図１】本発明の実施の形態における車載オーディオ装置の構成を示す概略ブロック図
【図２】本発明の実施の形態における車載オーディオ装置の動作を示すフロー図
【符号の説明】
１  インターネット接続の携帯電話機
２  携帯側のブルートゥース
３  車載オーディオ装置
４  車載側のブルートゥース
５  ＣＰＵ
６  ハンズフリーユニット
７  マイク
８  右スピーカ
９  左スピーカ
１０、１１  連動スイッチ
１２  テキスト／音声変換部
１３  表示制御部
１４  液晶表示部
１５  オーディオユニット
【図１】
0004156192.tif 000002
【図２】
0004156192.tif 000003